Podtech/llm-jp-corpus-v4-ja_patent huggingface dataset:
(57)【要約】【課題】日本の食生活を一変し、余人を健康体に導くことが第一の目的故、腹六分の断行は勿論、健康食も腹六分を必ず断行すること。【解決手段】全国の行政機関及び全ての報道機関を動員して、腹六分と健康食の効用を広報活動する。【選択図】なし【特許請求の範囲】
【請求項１】
腹六分健康食は、過去六年余りの実績と３箇年の記録（別紙の通り）に基づき、人々を健康体に導き、労働時間の延長、延いては定年の延長も可能になり、各職場の能率アップ、食費の節減、医療費の軽減をはかり得る、日本の食生活を一変する一大革命である。先ず第一に腹六分の断行。第二に豆類５％・野菜３０％・果物３０％・その他３５％の重量比（許容範囲５％）で作った食品を各人が自己の腹六分を定め、食するものなり。
【請求項２】
腹六分または健康食の分量は各人夫々異なる故、自己に合った分量を定め、強い意志により実践躬行する。
【請求項３】
腹六分健康食の材料：豆類は、大豆・小豆。野菜は、トマト・ニンジン・タマネギ・旬のモノ。果物は、リンゴ・ミカン・レモン・旬のモノ。その他は、牛乳・ハチミツ等を用いるものなり。
【発明の詳細な説明】
【技術分野】
【０００１】  この発明は、食生活における健康法と健康食に関する。
【背景技術】
【０００２】  毎週、月曜日〜金曜日に正午より日本テレビで放送されている「おもいッきりテレビ」に約７年前ゲストとして出演された浜松医科大学教授・高田明和先生が、「腹八分医者いらずと言われているが、腹六分なら本当に要らない」と申されました。
それ故、私はこれを実施するには、各食品の栄養をバランス良く、「豆類・野菜・果物・その他」で作ることを考え、これをミキサー器で液体化し、自分の食生活を腹六分で実践躬行すること六年余り。その結果が極めて良好なため「腹六分」とし、ミキサー器で液体化した食品を食事の代わりに食して六年余り。これまた結果が極めて良好なため「健康食」とし、総じて「腹六分健康食」とした。
【発明の開示】
【発明が解決しようとする課題】
【０００３】  以上の技術によって、第一に、世界人類の身体を健康に導き、労働時間の延長をはかり、第二に、各職場の能率アップと定年制の延長をはかる。第三に、食費の軽減と医療費の削減をはかり、個人・行政・国が四苦八苦している経済状況打破を目指すことを課題とする。
【課題を解決するための手段】
【０００４】  以上の課題を解決するために、「腹六分健康食」の名称から、効用・発明が解決しようとする課題に至るまで、あらゆる機関・機会をとらえ、実践躬行をするように説くことを第一の特徴とする。
また、この場合に、特許権の有無が「信用度」の是非を左右すると考える。
【発明の効果】
【０００５】  腹が満腹になれば脳は眠気を催し、活動を停止して眠ってしまう。腹六分であれば、逆に脳は活発に働き、思考力を増すと同時に集中力を高め、また研究心も旺盛になる。
私は明治４４年６月一日生まれの老人ですが、腹六分を六年余、実践躬行したために、このようなことを考えた次第です。
【発明を実施するための最良の形態】
【０００６】  この発明の一実施形態を、下記に示す。
先ず第一に、医学的・栄養学的つまり科学的に検討し、その効果を証明して、全国的にあらゆる情報機関を総動員し、詳細に報じて全国民に周知徹底させる。【０００７】「実施形態の効果」
この実施形態によって、行政機関である区・市・町・村から都道府県・国が積極的に情報機関と協力して広報活動を行えば、日本が世界一の富裕国になると確信する。【０００８】「他の実施形態」
上記の実施形態では、私の場合の過去六年余の実績がありますが、一般の人々と違って老人故、標準のモデル足り得ないかもしれません。しかし、腹六分を誰よりも切実に考え断行していると自負しています。
また、健康食も毎日、毎食ごとに記録し、家族は勿論、後世に残し、広く世人の参考に寄与したく、三箇年記録し現在も続行中です。
尚、健康食は作った後、直ちに冷蔵庫に保管しなければなりません。７日〜１５日が過ぎると液状のものが膨張と共に凝固化して参ります故、その折には冷水を加えて、再び液状化して冷蔵庫にて保管してください。飲む直前に、必ず電子レンジで摂氏７０度に過熱して下さい。生で飲むと下痢をしますから、くれぐれも御注意下さい。私は加熱した直後に、冷蔵庫よりヤクルトを取り出し、これで熱を冷ましてから飲んでいます。
【産業上の利用可能性】
【０００９】  個人、または行政機関である区・市・町・村が腹六分健康食の効用を全国的にアピールすると同時に、真っ先に経営開始を宣言すれば必ずや成功する。
従って、利用の可能性大なり。
(57)【要約】【課題】  飼い主などのペットの歩行時の引張力は強いから、リードの帯部材を手元に引き戻さなければならない時には、帯部材は硬質材で構成されているため、一方の手で帯部材の一部を掴んで引き寄せようとすると、手掌部が滑って摩擦を起こし強い痛みが与えられることになり、帯部材を確実に把持することが困難になることに鑑み、これを改良したリードを提供する。【解決手段】  本発明は、硬質材から成る帯部材４の適所に、全体が不滑表面に成る把持部材７を設けて成るリードであり、前記把持部材は皺くちゃ状態に成るものである。【選択図】    図１
2006238818.tif 000002
【特許請求の範囲】
【請求項１】
硬質材から成る帯部材の適所に、全体が不滑表面に成る把持部材を設けて成ることを特徴とするペット用リード。
【請求項２】
硬質材から成る帯部材上の首輪近くの部分に、全体が皺くちゃ状態に成る把持部材を固着して成るペット用リード。
【発明の詳細な説明】
【技術分野】
【０００１】
本発明は、飼い犬などのペットを係留するためのリードに関するものである。
【背景技術】
【０００２】
飼い犬などのペットを散歩に連れて出る時には、リードの帯部材一端に設けた首輪を首の上部にかけ、帯部材他端に設けた輪部に右手の手掌部を入れ親指をかけて握り、犬が人の左脇について歩けるようにリードの一部を左手で持ち、犬の顔を見ながら誘うように歩き出すのが普通である。
【０００３】
ところが、犬の歩行時の引張力は強いから、帯部材を手元に引いて犬を引き戻さなければならない時には、帯部材は硬質材で構成されているため、一方の手で帯部材の一部を掴んで引き寄せようとすると、手掌部が滑って摩擦を起こし強い痛みが与えられることになる。
【０００４】
したがって、自動車や他犬などとの接触を避けるための緊急事態の発生時に対しては、困難な課題となっていた。
【０００５】
しかし、従来から存する例えば特開平７−１２３８８２号公報、特開２００２−２４７９３０号公報、特開２００２−２９１３６９号公報に見られるリードにあっては、緊急時に他の手でリードを把持してたぐり寄せようとしても手掌部が滑ってしまうおそれがあるから、リードを確実に確保して歩行することができず、飼い主はペットの引張力に対して無力となっていた。
【０００６】
【特許文献１】特開平７−１２３８８２号公報
【特許文献２】特開２００２−２４７９３０号公報
【特許文献３】特開２００２−２９１３６９号公報
【発明の開示】
【発明が解決しようとする課題】
【０００７】
そこで、本発明はこのような従来のリードが有する技術的課題を解決するために、ペットによる急激な牽引や方向転換などの緊急事態が発生しても、その衝撃を飼い主が確実にコントロールして安全に歩行することができるリードを提供することを目的とするものである。
【課題を解決するための手段】
【０００８】
本発明は、硬質材から成る帯部材の適所に、全体が不滑表面に成る把持部材を設けて成るリードであり、前記把持部材は皺くちゃ状態に成るものである。
【発明の効果】
【０００９】
このような構成のリードを片手に把持して散歩しているペットが、自動車や他ペットと接触するおそれがある緊急時には、直ちに把持している他方の手に力を入れても、手掌部は把持している把持部材表面を滑ることなく確実に手元方向にたぐり寄せることができ、ペットを飼い主の隣りに安全に引き止めることができるようになる。
【００１０】
また、そのような緊急時でなくても、歩行するペットの引張力が強く飼主が制御しづらくなる時でも、他方の手を把持部材に当てておくから、手掌部が滑らずリードの帯部材を確実に把持して歩行を続けることができ、手掌部に痛みも起こらず、安心して散歩をすることができる。
【発明を実施するための最良の形態】
【００１１】
人はいま、一端を飼い犬の首輪に取付く帯部材の他端に一方の手掌部をかけて散歩に出るが、同時に、他方の手掌部で帯部材上の適所に被套する把持部材を掴んでおく。この把持部材は皺くちゃ状態にあるから、手掌部は把持部材上を滑ることなく確実に把持することができるようになる。
【実施例】
【００１２】
１は首輪で、この首輪の一部にはリング２を介してフック３を設ける。
【００１３】
４は前記フック３に設けた環材５に一端部を止着する硬質材から成る帯部材で、この帯部材は適当長さに成り、その末端部には輪部６を設ける。
【００１４】
７は前記帯部材４の前記環材５に近接した部分に両端部を固着８，８した皺くちゃ状態に成る把持部材で、この把持部材は常時皺くちゃ状態を維持するほどの余裕のある長さに成る。
【図面の簡単な説明】
【００１５】
【図１】全体の斜視図
【図２】要部の正面図
【図３】要部の正断面図
【符号の説明】
【００１６】
１                    首輪
３                    フック
４                    帯部材
６                    輪部
７                    把持部材
【図１】
2006238818.tif 000003
【図２】
2006238818.tif 000004
【図３】
2006238818.tif 000005
(57)【要約】【課題】  ブラックバス等魚類の食物調査を目的として、生きた魚の胃の内容物を採取兼観察スペースに吸引し、観察後に胃に戻すための手動式フィッシングポンプを提供すること。【解決手段】  図１のような大小２つのリピートバンドを取り付けたポンプ部、吸引と押出と排気を導く弁の部分、取替え可能な採取兼観察チューブの部分から構成された組立式のフィッシングポンプで解決できる。円錐状の栓１を孔に差し込んで、弁１と弁２の操作紐が緩んだ状態にしておく。魚の胃に採取パイプの先端を差し込み、ポンプを圧縮する。リピートバンドに差し込んだ指の力で胃の内容物を吸い上げる。１回の操作では吸い上がりが不十分なので、拡大状態のポンプを再度圧縮し、再びポンプを拡大させて吸引する。観察終了後は、栓１を引き、栓２に差し替えて、ポンプを圧縮させると内容物が胃に戻る。胃に戻さず、別の容器に採取することもできる。【選択図】  図１
2006238867.tif 000002
【特許請求の範囲】
【請求項１】
本フィッシングポンプは、ブラックバスなどの魚類の食物調査を目的として、生きた魚の胃の内容物を採取及び観察するための装置である。ブラックバスだけでなく淡水魚のブルーギル、ニジマス、ヤマメ、コイ、フナ、ナマズなどや海水魚のシーバス（スズキ）、ブリ、カンパチ、メバル、カサゴ、サバ、アジなどにも使用できる。両生類、は虫類、鳥類、小型の哺乳類などにも適用できる。ペット類の喉詰まりの除去にも使用できる。
【発明の詳細な説明】
【技術分野】
【０００１】  本発明は、ブラックバス等魚類の食物調査を目的として、生きた魚の胃の内容物をフィッシングポンプの採取兼観察スペースに吸引し、観察した後、元の胃に戻すことに関する。
【背景技術】
【０００２】  灯油用ホースポンプを土台材料として用いる。吸引と押出が可能なポンプ部、吸引と押出と排気を導く弁の部分、取替え可能な採取兼観察チューブから構成された組立式のポンプである。【０００３】  魚の胃を傷めないように厚みの薄いポリエチレンを主体とするプラスチック材料を使用し、連結部分はタップとダイスを用いてねじを切った部分で接続する。
【発明の開示】
【発明が解決しようとする課題】  圧縮したポンプの自然回復による吸引力は弱いので、外力を加える必要がある。観察終了後内容物を胃に戻す場合、図１の弁２を閉じ、弁１を開けておく必要がある。したがって、弁に工夫を施す必要がある。片手で操作できるのが望ましい。対象魚の大きさによって、採取兼観察チューブの大きさを変える必要がある。採取兼観察スペース内の胃内容物が容易に落ちないようにする必要がある。
【課題を解決するための手段】  ポンプ部には図１のように大小２つのリピートバンドを取り付ける。取り付け部は接着剤で密閉する。小さい方に親指、大きい方に人差し指、中指、薬指を差し込み、指でポンプを拡張し、吸引させる。吸引の強さは手加減できる。ポンプの使用開始時は、図１のように円錐状の栓１を孔に差し込んで、弁１と弁２の操作紐がゆるんだ状態にしておく。魚の胃に採取パイプの先端を差し込み、ポンプを圧縮する。そして指で拡張させ吸引する。１回の操作では吸い上がりが不十分なので、拡大状態のポンプを再度圧縮し、再びポンプを拡張させて吸引する。観察終了後は、栓１を引き、栓２に差し替えて、ポンプを圧縮させると内容物が胃に戻っていく。１回で戻らない場合は、栓１に替えて弁２を開けてポンプを拡大状態に戻し、再び栓２に替えて再度内容物を胃へ押し戻す。固形物がチューブに詰まった場合は、栓２が挿入された状態で、ポンプの圧縮と拡張を繰返すだけで風が送られ取り除くことができる。採取兼観察チューブの先端は図１のように湾曲させておくと、胃の内容物が容易に落ちず便利である。内容物を胃に戻さず、別の容器に採取することもできる。各部の連結はねじ方式とする。ぐらつきが少なく、しっかりと取り付けられる。採取兼観察チューブは内容物が観察できるように透明な材料を使用する。
【発明の効果】  魚が何を食べたかを知ることによって、ルアーの選択や新しいルアーの開発の参考になる。また、その水域に棲んでいる生物の生息状況を知ることができる。このフィッシングポンプは魚類以外に、両生類、は虫類、鳥類、小型の哺乳類などにも応用でき、釣り人だけでなく環境省や県水産課、生物の生態研究をしている人たちにも役立つ。ペット類の喉詰まりの除去など一般向けにも使用できる。
【図面の簡単な説明】
【図１】  １  ポンプ    ２  弁の部分    ３  採取兼観察チューブ（標準）    ４  リピートバンド（小）    ５  リピートバンド（大）    ６  栓１    ７  栓２    ８  弁１    ９  弁２    １０  採取兼観察チューブ（大）    １１  採取兼観察チューブ（小）
【図１】
2006238867.tif 000003
(57)【要約】【課題】筍の廃棄する根元から中央部にかけて発生する節、硬い繊維、薄皮を廃棄することなく、全筍を使用した筍食品の製造を可能にし提供することである。【解決手段】採取した筍はその日のうちに硬い表皮だけを剥し０、５ｍｍに輪切りにしミキサ−で撹拌破砕する、破砕した筍５ｋｇに水７５ｃｃを加え圧力釜で３０分煮込み、再度ミキサ−で撹拌することにより筍本来の風味、香味を失うことなく安定した筍ペ−ストからなる筍食品を提供できる。【選択図】  なし【特許請求の範囲】
【請求項１】
筍の加工食品製造が困難とされている筍を使用して食品を製造する手段としてなる筍ペ−スト
【請求項２】
請求項１からなる筍ペ−スト使用して、豆腐、ラ−メン、うどん、饅頭、蕎麦、パン、寒天、アイスク−リム、餅菓子、焼菓子、マカロニ、ゼリ−を製造した食品。
【発明の詳細な説明】
【技術分野】
【０００１】  本発明は、筍ペ−スト及び筍食品の製造に関する。
【背景技術】
【０００２】  従来の筍の使用は中央部から先端のやわらかい部分を煮物、揚げ物、炒めもの、さらだ、和え物にして食べるのが主であり、廃棄される根元から中央部の硬い部分、節、薄皮を含む全筍を使用した筍食品の製造に関する報告はされていない。
【発明の開示】
【発明が解決しようとする課題】
【０００３】  しかしながら、筍を根元から先端まで使用しての筍食品を製造するには、繊維が硬く、薄皮が邪魔になり食品製造には困難とされている。
【課題を解決するための手段】
【０００４】  本発明は、従来食品としては繊維が硬く不向きであるとされ廃棄される筍の根元から中央部、薄皮及び先端を含む全筍を使用した筍加工食品を製造する手段として、筍の中央部までの厚い皮を取り除き、薄皮を含む全筍をペ−スト状にし提供することで上記課題を解決する。
【発明の効果】
【０００５】  本発明は、筍ペ−ストを豆腐、ラ−メン、うどん、饅頭、蕎麦パン、寒天、アイスクリ−ム、餅菓子、焼菓子、マカロニ、ゼリ−の原材料に２０％を混入し製造することにより、筍本来の持つ風味、甘みを失うことなく筍食品が出来た。全筍をペ−スト状に加工することで筍食品の品製造が可能になる。
【発明を実施するための最良の形態】
【０００６】  本発明のペーストは、採取した筍をその日のうちに、表皮を剥ぎ薄皮は残す、０、５ｍｍに輪切りし、ミキサ−で撹拌破砕した筍５ｋｇに水７０ｃｃの割合で圧力釜で３０分煮込む、煮上がった筍をミキサーで再度撹拌破砕しペ−ストにする。アクの強い孟宗竹などは先にアク抜きをし表皮を剥ぎ取り、前記述同様の作業工程をすることで、筍の風味、香味を失うことなく筍食品を提供できる。
【実施例】
【０００７】  また、前記述の方法で作られた筍ペ−ストを、豆腐、ラ−メン、うどん、饅頭、蕎麦、パン、寒天、アイスクリ−ム、餅菓子、焼菓子マカロニ、ゼリーの加工原料に各々２０％の筍ペ−ストを混ぜ製造を実施してみた、いずれの食品も筍の風味、香味を失うことなくおいしい筍の食品を製造することが確認でき、提供することが出来たた。
(57)【要約】      （修正有）【課題】人員削減による省力化を実現することで収益率の向上を図る。【解決手段】初回来店時に会員証としてＩＣカードを発行し、次回以降入店、退店時に精算機に挿入することにより、精算のセルフサービス化、自動化を実現する。【選択図】図１
2006079579.tif 000002
【特許請求の範囲】
【請求項１】
来店顧客が自身でデータ（個人情報、性別、希望するブース、滞留予定時間等）を画像並びに音声ガイダンスに従って登録し、登録後入店時データが記載された磁気シートを本機が自動発券する。
【請求項２】
顧客は発券された磁気シートを携えた上で、登録した希望ブースで遊戯等を行い、終了後退出手続きを行うため、退出精算機に向かう。
【請求項３】
退出精算機に入店時に発券された磁気−シートを挿入し機械による自動精算を行う。新規来店顧客に関しては、精算と同時に会員証を発行する。
【請求項４】
二回目以降の来店については、会員証を本機に挿入し１〜３に記載する動作を行うものとする。ただし、この場合は会員証の発行はなく来店ポイントが加算される。
【請求項５】
入店登録機に入力されたデータに基づき、住所、氏名、使用ブース、会員番号、来店回数、性別、滞留予定時間、滞留経過時間、退出時精算料金、来店回数によるポイントの加算等を包括的に管理するものである。
【請求項６】
入力されたデータに基づき、自動的に顧客データを作成し、後日ＤＭやＥメール等を利用して再来店を促進し、売上の増進に効果を発揮する。
【請求項７】
顧客が入店登録を済ませないとゲートは開かないので入店はできない。
【請求項８】
顧客が退出手続きを済ませないとゲートは開かないので退出はできない。
【発明の詳細な説明】
【技術分野】
【０００１】本発明は、レンタルスペース事業における省力化と金銭管理並びに顧客管理を行うシステムである。
【背景技術】
【０００２】新規顧客が入店時にカードを用い、モニターを見ながら顧客データを登録し、磁気シートを発券する。退出時当該磁気シートを挿入することによって、精算を行い精算終了時に会員証となるＩＣカードを発行する。
【発明の開示】
【発明が解決しようとする課題】
【０００３】従前は対面接客であり、清掃業務、精算業務、機器保守業務等により多数の従事者の確保が必要である。これを省力化することにより人員削減を達成し収益率の向上を図る。
【課題を解決するための手段】
【０００４】ゲート開閉、施錠開錠、精算を一元自動化するシステムの構築
【発明の効果】
【０００５】顧客からの苦情数の低減化、精算業務時間の短縮、人員の合理化
【発明を実施するための最良の形態】
【０００６】ＩＣカードの利用（会員証と兼用）による顧客の定着が可能になる。
【産業上の利用可能性】
【０００７】あらゆるレンタルスペース業に利用可能なシステム
【図面の簡単な説明】
【図１】「０００３、０００６を示した平面図である。」
【図１】
2006079579.tif 000003
(57)【要約】【課題】  データベース技術、コンピュータによる音響・視覚効果を利用してソフトウェアで人の心を癒す方法を提供する。【解決手段】  アプリケーションソフトウェアの起動・終了画面又はメニュー画面が毎回現れる時、植物、動物、自然風景の写真や絵、又は家族・友人の写真や似顔絵など、癒し系の素材を使った、画面の背景画像を自動的に変更させることによって、人間に期待感をもたらし新鮮さを感じて心が癒され、また、アプリケーションソフトウェア機能の一部分または独立のソフトウェアとして、植物、動物、自然風景の写真や絵、又は家族・友人の写真や似顔絵など、大量的な癒し系の画像をパソコン画面に一枚ずつ表示し、同時に癒し系の音楽も流れることによって、人間にゆったりした時間や楽しみを与えて心が癒される。【選択図】  図１
2006079576.tif 000002
【特許請求の範囲】
【請求項１】
アプリケーションソフトウェアの起動・終了画面又はメニュー画面が毎回現れる時、植物、動物、自然風景の写真や絵、又は家族・友人の写真や似顔絵など、癒し系の素材を使った、画面の背景画像を自動的に変更させ、つまりアプリケーションソフトウェアの起動・終了画面又はメニュー画面が現れるたびに予めどのような背景画像が出てくるのが予想できないことによって、期待感をもたらし新鮮さを感じることを特徴とするソフトウェアで人の心を癒す方法。
【請求項２】
アプリケーションソフトウェア機能の一部分または独立のソフトウェアとして、植物、動物、自然風景の写真や絵、又は家族・友人の写真や似顔絵など、癒し系の画像をパソコン画面に、表示時間が設定できるように自動的に一枚ずつ表示し、或いは手動で順番に一枚ずつ表示し、或いは画像番号に基づき好きな画像を選んで表示し、
また癒し系の音楽も多く用意し、自由に選択することにより、癒し系の画像をパソコン画面に表示する同時に選択した音楽も流れることによって、ゆったりした時間や楽しみを与えることを特徴とするソフトウェアで人の心を癒す方法。
【発明の詳細な説明】
【発明の詳細な説明】
【技術分野】
【０００１】  この発明は、コンピュータソフトウェアの作成法に関し、特に人間に期待感をもたらし新鮮さを感じゆったりした時間を与えて、人の心を癒すコンピュータソフトウェアの技術に関するものである。
【背景技術】
【０００２】  人間が生活している限り「癒し」の必要性は生じる。「癒し」ということは人類史において文化を超え古くからあったが、近年ますます「癒し」にこだわり注目されるようになった。２１世紀は癒しの時代と言われている。最近音楽による癒し、イメージによる癒しは医療や福祉関係で注目を集めている。一方、コンピュータのハードウェアの急速な発達に乗じて、優れたコンピュータによる音響・視覚効果が得られるようになった。またコンピュータが各家庭・個人に普及し続けている。従って、癒し効果を持つソフトウェアの作成法が必要となる。
従来、日用品に癒し効果を施したものがある（例えば、特許文献１参照）。
【特許文献１】特開平２０００−２５３９８０号公報（収納室付癒の安眠枕）
【発明の開示】
【発明が解決しようとする課題】
【０００３】  ところで、コンピュータのソフトウェアを使うときには期待感をもたらし新鮮さを感じ、ゆったりした時間や楽しみを与える、というソフトウェアで人の心を癒す方法を考えていない。
本発明はデータベース技術、コンピュータによる音響・視覚効果を利用してソフトウェアで人の心を癒す方法を提供することを目的とするものである。
【課題を解決するための手段】
【０００４】  上記の目的を達成するために請求項１記載の発明は、アプリケーションソフトウェアの起動・終了画面又はメニュー画面が毎回現れる時、植物、動物、自然風景の写真や絵、又は家族・友人の写真や似顔絵など、癒し系の素材を使った、画面の背景画像を自動的に変更させ、つまりアプリケーションソフトウェアの起動・終了画面又はメニュー画面が現れるたびに予めどのような背景画像が出てくるのが予想できないものである。
請求項２の発明は、アプリケーションソフトウェア機能の一部分または独立のソフトウェアとして、植物、動物、自然風景の写真や絵、又は家族・友人の写真や似顔絵など、癒し系の画像をパソコン画面に、表示時間が設定できるように自動的に一枚ずつ表示し、或いは手動で順番に一枚ずつ表示し、或いは画像番号に基づき好きな画像を選んで表示し、また癒し系の音楽も多く用意し、自由に選択することにより、癒し系の画像をパソコン画面に表示する同時に選択した音楽も流れることができるものである。
【発明の効果】
【０００５】  この発明によれば、アプリケーションソフトウェアの起動・終了画面又はメニュー画面が現れるたびに予めどのような背景画像が出てくるのが予想できないことによって、人間に期待感をもたらし新鮮さを感じて心が癒され、大量的な癒し系の画像をパソコン画面に自動的に又は手動で一枚ずつ表示し、同時に癒し系の音楽も流れることによって、人間にゆったりした時間や楽しみを与えて心が癒される。
【実施例】
【０００６】  以下、本発明を添付図面に示す実施例に基づいて説明する。図１は、請求項１に記載のソフトウェアで心を癒す方法の一実施例のブロック図である。図１に示すように、起動・終了画面又はメニュー画面が現れる時間情報に基づいて、癒し系の画像データベースを検索し、画像データを取得している。このようにして上述の画面が異なる時間に現れる時に、違う画像データを取得することができるため、表示した背景画像は違うものである。すなわちアプリケーションソフトウェアの起動・終了画面又はメニュー画面が現れるたびに予めどのような背景画像が出てくるのが予想できないことが実現される。図２は、請求項２に記載のソフトウェアで心を癒す方法の一実施例のブロック図である。図２に示すように、利用者はまず癒し系の画像テーマ（風景季節や植物や家族写真など）、好きな音楽を選択することによりコンピュータに指示を入力すれば、次にソフトウェア癒し系の音楽を聴きながら癒し系の画像も鑑賞できる。
【図面の簡単な説明】
【０００７】
【図１】    請求項１に記載のソフトウェアで心を癒す方法の一実施例を示す図である。
【図２】    請求項２に記載のソフトウェアで心を癒す方法の一実施例を示す図である。
【図１】
2006079576.tif 000003
【図２】
2006079576.tif 000004
(57)【要約】【課題】携帯電話機及び通常の電話機からの送信時に送信者側から聞こえる受信側から発信される呼び出し音を音楽や言語等に変えた広告を呼び出し中に発信者側に聞かせるための実際的な技術を提供すること。【解決手段】携帯電話機及び通常の電話機の送信側から聞くことのできる呼び出し音を広告に変えることによって広告を送信者側に提供する。広告主はユーザの受信回数分のインセンティブをユーザに支払い、広告システムに登録されたユーザの携帯電話機及び通常の電話機に広告データベースに保存されている広告データを送信して保存させるとともにこの広告データによって広告の再生を行う携帯電話機及び通常の電話機において発生する受信回数に対する負担額を算出する広告サーバを備える。【選択図】    図１
2006079570.tif 000002
【特許請求の範囲】
【請求項１】
携帯電話機及び通常の電話機から発信者が受信者に対して発信した時に発生する受信者の電話から聞こえる通常「トゥルル、トゥルル」というような呼び出し音の変わりに、音楽や言葉を用いた広告を受信側から発信者に聞かせるとともに、この広告の媒体となる受信側の携帯電話機または通常の電話機において発生する広告料分を、受信者側のユーザに代わって負担することを特徴とする広告システム。
【請求項２】
前記広告サーバによって算出された通話回数に対する負担額を示すデータベースを備えている請求項１に記載の携帯電話機または通常の電話機による広告方法。
【請求項３】
着信があったときに広告の再生を行う広告データを携帯電話機または通常の電話機に保存させ、この広告データを保存している携帯電話機または通常の電話機において発生する電話料金の内の受信回数分の額を広告側がそのユーザに代わってそのインセンティブを負担する事を特徴とする広告システム。
【発明の詳細な説明】
【発明の詳細な説明】
【技術分野】
【０００１】この発明は、携帯電話機または通常の電話機を介して広告を行うための方法に関する。
【発明が解決しようとする課題】
【０００２】携帯電話機等の急激な普及により、通話料金の経済的負担が増大している。
【０００３】その一方、携帯電話機及び電話機の広告媒体としての様々な利用法が模索されている。
【０００４】しかし、携帯電話機を媒体とした広告はユーザ側にとってそのメリットが少なく広告主側にとっても、使用時間を算出する等の経済的負担が高く、また、ユーザが実際にどれ位の広告を聞いたかという回数を把握する事が困難であるという問題がある。
【０００５】この発明は、上記のような携帯電話機および通常の電話機を広告媒体として利用する際の問題点を解決するために為されたものである。すなわち、この発明は、携帯電話機、及び通常の電話機の広告媒体としての利用度を高める広告方法、広告システムを提供することを目的としている。
【課題を解決するための手段】
【０００６】この発明による携帯電話機及び通常の電話機の広告システムは、上記目的を達成するために、携帯電話機及び通常の電話機の受信側から発信者側に発する呼び出し音を広告に変え、その受信回数分のインセンティブをユーザに支払うことによりユーザの負担を軽減する広告システムであってこのデータベースに登録されたユーザの携帯電話機及び通常の電話機に広告データベースに保存されている広告データを送信して保存させるとともにこの広告データによって広告の再生を行う携帯電話機及び通常の電話機において発生する受信回数に対する負担額を算出する広告サーバを備えていることを特徴としている。
【０００７】本発明による携帯電話機及び通常の電話機による広告システムを利用するユーザは、広告会社に登録し、会社はこの登録を行ったユーザの携帯電話機または通常の電話機に対して、広告データを送信してこの広告を携帯電話に保存させる。
【０００８】また、インターネットを直接利用し、広告会社のサイトまたは本発明を扱う総合広告サイトより、直接、ユーザの好みの広告サイトをウェブサイトより直接取り込み保存する。
【０００９】また、広告会社はこの広告サーバによって算出された負担部分の支払いをユーザに代わって行う。
【００１０】以上のように本発明によれば、電話発信者側は、受信者が電話にでる前の受信者側から聞こえてくる呼び出し音に変わる広告を否応なしに聞くことによって広告媒体としての使用が促進されるようになる。
【発明を実施するための最良の形態】
【００１１】以下、この発明による最も好適と思われる実施の形態について、図面を参考にしながら詳細に説明を行う。【００１２】図１は、本発明による携帯電話機による広告システムの実施形態におけるシステム構成図である。【００１３】広告主は独自、または本発明の広告システムを扱うウェブサイト広告サイトから広告システム加入者と契約を行い、【００１４】広告システム加入者は、直接、またはウェブサイト上において、広告主と契約後、ウェブサイトから広告をダウンロードする。【００１５】発信側の電話機が受信側の携帯電話機及び通常電話機に電話をかけると、発信側の携帯電話では、通常の呼び出し音に変わってダウンロードされた広告が受信側より出力される。【００１６】一方、受信側の携帯電話機には、広告使用回数（受信回数）がカウントされ、広告主に知らされる。【００１７】広告主は、各契約者に対し、広告回数に対して負担相当部分をユーザに代わっておこなう。【００１８】このように、受信回数によってインセンティブの付与が確定することにより、広告主は広告契約者に対してインセンティブを支払う。
【発明の効果】
【００１９】以上のように、本発明によれば、携帯電話機または通常の電話機から発信者が聞く受信者側からの呼び出し音を広告に用いるための方法を提供することができる。
【図面の簡単な説明】
【００２０】
【図１】本発明の一実施の形態におけるシステム概要図である。
【図１】
2006079570.tif 000003
(57)【要約】【課題】犯人を撃退すると共に、逃亡を阻止する。【解決手段】カウンター１の内部２に遠隔操作可能な液噴霧器３を組み込むと共に、該液噴霧器３の噴霧口４をカウンター１の正面５の下部に配置し、かかる液噴霧器３に臭気成分含有の噴霧液を充填することによって、犯人の足元に臭気成分を噴き付け、臭気で犯人を撃退して、犯行を阻止すると共に、逃走中に容易に脱ぎ捨てることができないズボンや靴に臭気を確実に付着させる。【選択図】図１
2006079159.tif 000002
【特許請求の範囲】
【請求項１】
カウンターの内部に遠隔操作可能な液噴霧器を組み込むと共に、該液噴霧器の噴霧口を
カウンターの正面の下部に配置し、かかる液噴霧器に臭気成分含有の噴霧液を充填したこ
とを特徴とする防犯装置。
【発明の詳細な説明】
【技術分野】
【０００１】
本発明は、店舗に設置する防犯装置に関する。
【背景技術】
【０００２】
従来、深夜営業の店舗、例えばコンビニエンスストアー等は強盗の標的になり易く、防
犯手段として、カラーボールが利用されていた。
カラーボールとは、衝撃で容易に破裂するボールの中に着色蛍光塗料を封入し、これを
逃走する犯人めがけて投げつけ、犯人衣服に着色して、追跡及び逮捕を容易にするもので
あり、これを店舗に常備することで、犯罪の発生抑止を図る様にしたものである。
【０００３】
研究開発段階や出願段階で先行技術調査を行っておらず、記載すべき先行技術文献を知
りません。
【発明の開示】
【発明が解決しようとする課題】
【０００４】
ところが、上記カラーボールは、犯罪の発生後に始めて使用でき、犯罪進行中には何等
役に立たず、また必死に逃げ回る者にカラーボールを命中させることは容易でなく、更に
例え上着に命中しても、上着を脱ぎ捨てれば、近くの雑踏に紛れ込んで、追跡から免れる
ことが可能であると、犯罪者に安易に考えられてしまうことから、心理的な犯罪抑止の効
果が低く、より強力な防犯手段が求められていた。
【課題を解決するための手段】
【０００５】
本発明は、上記課題に鑑み、カウンターの内部に遠隔操作可能な液噴霧器を組み込むと
共に、該液噴霧器の噴霧口をカウンターの正面の下部に配置し、かかる液噴霧器に臭気成
分含有の噴霧液を充填することによって、犯人の足元に臭気成分を噴き付け、臭気で犯人
を撃退して、犯行を阻止すると共に、逃走中に容易に脱ぎ捨てることができないズボンや
靴に臭気を確実に付着させる様にして、上記課題を解決する。
【発明の効果】
【０００６】
一般に店舗に押し入った強盗は、店員を脅しながら要求を突き付けるために、カウンタ
ーの前に立って店員と対峙することになるが、本発明は、カウンターの内部に遠隔操作可
能な液噴霧器を組み込んだので、犯人は何等気付かず自ら液噴霧器の間近に近寄ってしま
う。
そして、液噴霧器の噴霧口をカウンターの正面の下部に配置し、かかる液噴霧器に臭気
成分含有の噴霧液を充填したので、遠隔操作で液噴霧器を作動させれば、臭気成分が犯人
の足元めがけて噴出し、意表を突かれ、臭気にたじろいだ犯人は、犯行を続行できずに逃
走せざるを得ない。
しかし、臭気成分がズボンや靴に付着するため、逃走中に脱ぎ捨てることが出来ず、ま
た脱ぎ捨てるためには、代わりのものを入手せねばならず、つまり犯人に手間をかけさせ
て、逃走を妨害することが出来、また逃走意欲をも喪失させること出来る。
又、犯人が何処に身を隠しても、警察犬による追跡が至極容易で、短時間で発見するこ
とが出来る。
従って、この発明によれば、犯人を撃退できるだけでなく、逃走した犯人を確実に発見
して、犯人検挙の効率を飛躍的に向上させることが出来その実用的効果甚だ大である。
【発明を実施するための最良の形態】
【０００７】
以下本発明の一実施例を図面に基づいて説明する。
図１に示す様に、本発明に係る防犯装置は、コンビニエンスストアー、銀行等の店舗の
内部に設置されるもので、顧客との対応に用い、顧客側と店員側とを仕切るカウンター１
の内部２に液噴霧器３を組み込むと共に、該液噴霧器３の噴霧口４をカウンター１の正面
５（顧客側）の下部に設けた開口６に臨ませて配置し、かかる液噴霧器３には臭気成分含
有の噴霧液を充填している。
尚、図示しないが、不使用時に噴霧口４が目立たない様に、開口６に遠隔操作可能な目
隠し蓋を設けたり、或いは、開口６の上部にひさしを設けても良い。
【０００８】
液噴霧器３は、噴霧液を遠隔操作で噴霧可能なものでなければならないが、有線、無線
等の操作方式種別や操作スイッチ７の設置箇所については適宜であり、例えば、カウンタ
ー１の裏側（店員側）の上部や足元に設けて、カウンター１の裏側にいる店員Ｓが操作し
ても良いし、或いは、幾分離れ隠れた箇所に設置して、強盗Ｒに気付かれない様に他の店
員に操作させる様にしても良い。
【０００９】
噴霧液に含有させた臭気成分は、人が嫌う強烈な臭いを発生し、長時間臭気が持続する
ものであれば良く、例えば、メチルメルカブタン（タマネギの腐敗臭源）、イソキチ草酸
（靴下臭源）等が挙げられ、またこれらに酢酸等の刺激臭源を混合すれば、犯人撃退力が
より強力になる。
【図面の簡単な説明】
【００１０】
【図１】本発明に係る防犯装置の概略図である。
【符号の説明】
【００１１】
１  カウンター
２  内部
３  液噴霧器
４  噴霧口
５  正面
６  開口
７  操作スイッチ
【図１】
2006079159.tif 000003
(57)【要約】【課題】金庫の近傍や、建物の出入口に任意に設置可能であって、効果的に犯罪者の犯行を抑止すると共に、警備員等が不審者の襲撃から身を守るために用いられる防犯用フラッシャーを提供すること。【解決手段】例えば、鏡面仕上げされたアルミ板からなる反射鏡１と、例えば、キセノンランプのような高輝度ランプ２を有する防犯用フラッシャーであって、高輝度ランプ２の光は、反射鏡１により所定の方向に集光すると共に、外部トリガ入力によって毎秒５〜１０回閃光することによって、上記の課題を解決する。【選択図】図１
2006079438.tif 000002
【特許請求の範囲】
【請求項１】
反射鏡と高輝度ランプを有する防犯用フラッシャーであって、
前記高輝度ランプの光は、前記反射鏡により所定の方向に集光すると共に、外部トリガ入力によって毎秒５〜１０回閃光すること
を特徴とする防犯用フラッシャー。
【発明の詳細な説明】
【技術分野】
【０００１】
本発明は、不審者の侵入時に閃光し、不審者による犯行を未然に防ぐとともに、警備員等が不審者の襲撃から身を守るために設置される防犯用フラッシャーに関するものである。
【背景技術】
【０００２】
従来より、現金自動取引装置（ＡＴＭ）に衝撃が加わったときに、フラッシュ光源から閃光を発することにより、犯罪者の顔や犯行現場を明るく照らし出すことができる防犯用フラッシャーが知られている。
【特許文献１】特開２００４−１７８４６７号公報
【発明の開示】
【発明が解決しようとする課題】
【０００３】
ところが、上述したような防犯用フラッシャーは、ＡＴＭと一体に構成されるものであって、任意の金庫やショーケースあるいは建物の出入口等に単独に設置して、犯罪者の犯行を未然に防ぐことはできなかった。
【０００４】
また、フラッシュ光源の点滅回数については、特に配慮がなされていなかった。一方、人間の目は、毎秒５〜１０回の閃光に対し、最も不快に感じることが知られている。
【０００５】
そこで、本発明の目的は、金庫やショーケースの近傍あるいは建物の出入口に任意に設置可能であって、効果的に犯罪者の犯行を抑止すると共に、警備員等が不審者の襲撃から身を守るために用いられる防犯用フラッシャーを提供することにある。
【課題を解決するための手段】
【０００６】
上記目的を達成するため、本発明は、反射鏡と高輝度ランプを有する防犯用フラッシャーであって、前記高輝度ランプの光は、前記反射鏡により所定の方向に集光すると共に、外部トリガ入力によって毎秒５〜１０回閃光することを特徴としている。
【０００７】
ここで、本発明に使用する高輝度ランプとしては、不審者の眼を眩ますことができるだけの十分な光量を得られるものであれば特に限定されるものではないが、ランプの寿命が長くランプ交換などの費用を軽減できるキセノンランプが好適に使用される。
【発明の効果】
【０００８】
本発明によれば、反射鏡と高輝度ランプを有する防犯用フラッシャーであって、前記高輝度ランプの光は、前記反射鏡により所定の方向に集光すると共に、外部トリガ入力によって毎秒５〜１０回閃光する構成としたことによって、高輝度ランプの光を効率よく不審者に向けて照射できるとともに、不審者の眼を効果的に眩ますことが可能となる。
【発明を実施するための最良の形態】
【０００９】
本発明の実施の形態について、図１及び図２に基づいて説明する。図１は、本発明による防犯用フラッシャーの主要部を示した斜視図であり、図２は、本発明による防犯用フラッシャーの電気系統を示す回路構成図である。
【００１０】
本発明の防犯用フラッシャーは、図１に示したように、断面が円弧状に形成され、表面が鏡面仕上げされたアルミニウム製の反射鏡１と、キセノンランプ２と該キセノンランプ２を反射鏡１上に電気的に絶縁された状態で支持する端子３とから構成されている。
【００１１】
反射鏡１は、鉄鋼製の台４に螺旋等によって、固設されている。なお、図１に示した防犯用フラッシャーは、反射鏡１及びキセノンランプ２がむき出しの状態であるが、使用時には、不用意な感電やキセノンランプの破損等を防ぐため、透明な耐熱硝子等でカバーすることが好ましい。
【００１２】
本発明のキセノンランプには、図２に示したようにキセノンランプの放電電圧より若干低い高電圧がトリガコイルの２次側コイルを介して引加されている。そして、トリガコイルの１次側にトリガを入力することによって、キセノンランプの両端に放電電圧より高い電圧が引加されることになり、キセノンランプが閃光する。この時、トリガを毎秒５〜１０回入力することによって、キセノンランプを毎秒５〜１０回、閃光させることが可能になる。トリガの発生は、防犯用フラッシャーが設置される金庫やショーケースあるいは建物の出入口近傍に別途設置した遠赤外線センサーのような人感センサーや、ドアの開閉部に設置される圧電ピックアップ等によって制御される。
【００１３】
なお、上記の実施例においては、キセノンランプを１つだけ使用する例を説明しているが、複数のキセノンランプを用いて、複数の方向に閃光を照射させることも可能である。
【図面の簡単な説明】
【００１４】
【図１】本発明の一実施例である防犯用フラッシャーの主要部の斜視図である。
【図２】本発明の一実施例である防犯用フラッシャーの回路図である。
【符号の説明】
【００１５】
１        ・・・  反射鏡
２        ・・・  キセノンランプ
３        ・・・  端子
４        ・・・  台
【図１】
2006079438.tif 000003
【図２】
2006079438.tif 000004
(57)【要約】【課題】財政再建と景気回復と貧困層支援を駆け込み需要が生じる消費税率を入力することで連動して算出する。【解決手段】コンピューターを用いて処理することで消費税率を入力するだけで統計学の期待値や計量経済学の期待の公式に基づいて消費、税収、消費税の貧困層への戻しの各数値を算出しアマルティア・セン理論の貧困層への最大利益、ロバート・ルーカスの合理的期待形成を応用し駆け込み需要で解決する経済財政金融システム。【特許請求の範囲】
【請求項１】
（イ）駆け込み需要が起こるように消費税率上下の数値を決め入力する。
（ロ）そこから駆け込み需要によって生じる税収である法人税等を算出する。
（ハ）アマルティア・セン理論に基づく貧困層に最大利益がもたらせるよう消費税をいくら戻すか算出する。
（ニ）この財政政策の駆け込み需要で消費が増加するがその期間が終わった後の消費の減少を金融政策の金利下げの算出して補う。
以上の如く論理で導かれるものをコンピューターを用いて処理して統計学の期待値や計量経済学の期待やロバート・ルーカスの合理的期待形成理論で財政再建と景気回復を同時に行え最初に消費税率を入力すると連動して消費、税収、消費税戻し額、金利下げ率を算出する経済財政金融システム。
【発明の詳細な説明】
【技術分野】
【０００１】  本発明は、消費税率変動による駆け込み需要を応用した財政政策と金融政策の数値を連動して算出する財政金融ビジネスモデルに関する。
【背景技術】
【０００２】  従来、消費税率が上がることが確実であるのにそれを応用した財政再建景気回復同時政策の財政金融システムのビジネスモデルはなかった。（例えば非特許文献１参照。）。【０００３】
【非特許文献１】  「平成９年版経済白書」経済企画庁編、大蔵省印刷局、平成９年７月２５日
【非特許文献２】  「平成２年版経済白書」経済企画庁編、大蔵省印刷局、平成２年９月１０日
【発明の開示】
【発明が解決しようとする課題】
【０００４】  従来、消費税導入直前や消費税引き上げ直前の駆け込み需要に注目した経済システムやビジネスモデルがなく利用応用されていなかった。
【課題を解決するための手段】
【０００５】  消費税率を入力すると駆け込み需要により消費、税収、貧困層への消費税戻し額、金利下げ率を連動してコンピューターを用いて処理することで各数値を算出する。
【発明の効果】
【０００６】  財政再建景気回復を同時に行い貧困層支援までがこのシステムだけで可能となる。
【発明を実施するための最良の形態】
【０００７】    以下、本発明の実施例について時系列的論理的に文章で説明する。駆け込み需要が起こるように消費税率上下の数値を決め入力する。そこから駆け込み需要によって生じる税収である法人税等を算出する。アマルティア・セン理論に基づく貧困層に最大利益がもたらせるよう消費税をいくら戻すか算出する。この財政政策の駆け込み需要で消費が増加するがその期間が終わった後の消費の減少を金融政策の金利下げ率の算出をして補う。以上の如く論理で導かれるものをコンピューターを用いて処理して統計学の期待値や計量経済学の期待やロバート・ルーカスの合理的期待形成理論で財政再建と景気回復を同時に行え最初に消費税率を入力すると連動して消費、税収、消費税戻し額、金利下げ率を算出する経済財政金融システム。
【実施例】
【０００８】    上記の如く実施される。
【産業上の利用可能性】
【０００９】    民間でのこのビジネスモデルで正しい金利等の数値が算出でき国の財政再建と景気回復と貧困層支援が消費税率を入力するだけで各数値決定して官民福祉と大きな産業上の利用可能性があり特に日本では消費税率上げと財政再建に役立つと解される。
(57)【要約】  【課題】  外向きの変位力でレバーが外向きに変位されることによりスイッチ作動するスイッチ装置の好適化構造をもたらす。  【解決手段】  一端を支点１とした金属製のレバー２の他端が作動ピン３などの外向きの変位力で外向きに変位されることにより、レバー２の中間部でスイッチ作動体４が引き出されるスイッチ装置である。そして、レバー２の中間部に形成した窓孔５におけるレバー２の他端方向の縁部６を、合成樹脂製のスイッチ作動体４の先端部に形成した作動片７におけるレバー２の他端方向に開口する開口部８内に係止させている。この構造によれば、作動ピン３などの外向きの変位力でレバー２が外向きに変位されると、レバー２における窓孔５の縁部６の変位力が作動片７の開口部８内に作用して作動片７とともにスイッチ作動体４が引き出されて、スイッチ作動が可能となっている。【選択図】  図２
2006079841.tif 000002
【特許請求の範囲】
【請求項１】
一端を支点としたレバーの他端が作動ピンなどの外向きの変位力で外向きに変位されることにより、レバーの中間部でスイッチ作動体が引き出されるスイッチ装置であって、レバーの中間部に形成した窓孔におけるレバーの他端方向の縁部を、スイッチ作動体の先端部に形成した作動片におけるレバーの他端方向に開口する開口部内に係止させたスイッチ装置。
【請求項２】
請求項１において、縁部を外向きに膨らんだ形状としたスイッチ装置。
【請求項３】
請求項１または２において、レバーが外向きに変位されることにより縁部の先端は開口部内の奥端に当接するスイッチ装置。
【請求項４】
請求項１〜３のいずれかにおいて、作動片の外面が当接可能なカバーを設けたスイッチ装置。
【発明の詳細な説明】
【技術分野】
【０００１】
本発明は、レバーが変位されることにより作動するスイッチ装置に関する。
【背景技術】
【０００２】
そのようなスイッチ装置は特許文献１などのようにマイクロスイッチ装置などでよく知られ、レバーが内向きすなわちスイッチ方向に変位されることによりスイッチ作動する構造をもたらしている。
【特許文献１】特開平９−１６１６０９号公報
【発明の開示】
【発明が解決しようとする課題】
【０００３】
しかし、外向きの変位力でレバーが外向きに変位されることによりスイッチ作動するスイッチ装置に関してはどのような構造が適切かが全く開示されていない。従って、本発明は、外向きの変位力でレバーが外向きに変位されることによりスイッチ作動するスイッチ装置の好適化構造をもたらすことを目的とする。
【課題を解決するための手段】
【０００４】
本発明を要約すると、一端を支点としたレバーの他端が作動ピンなどの外向きの変位力で外向きに変位されることにより、レバーの中間部でスイッチ作動体が引き出されるスイッチ装置であって、レバーの中間部に形成した窓孔におけるレバーの他端方向の縁部を、スイッチ作動体の先端部に形成した作動片におけるレバーの他端方向に開口する開口部内に係止させたスイッチ装置である。
【発明の効果】
【０００５】
本発明によれば、作動ピンなどの外向きの変位力でレバーが外向きに変位されると、レバーにおける窓孔の縁部の変位力が作動片の開口部内に作用して作動片とともにスイッチ作動体が引き出されて、スイッチ作動が可能となっており、外向きの変位力でレバーが外向きに変位されることによりスイッチ作動するスイッチ装置の好適化構造をもたらしている。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、一端を支点１とした金属製のレバー２の他端が作動ピン３などの外向きの変位力で外向きに変位されることにより、レバー２の中間部でスイッチ作動体４が引き出されるスイッチ装置である。そして、レバー２の中間部に形成した窓孔５におけるレバー２の他端方向の縁部６を、合成樹脂製のスイッチ作動体４の先端部に形成した作動片７におけるレバー２の他端方向に開口する開口部８内に係止させている。この構造によれば、作動ピン３などの外向きの変位力でレバー２が外向きに変位されると、レバー２における窓孔５の縁部６の変位力が作動片７の開口部８内に作用して作動片７とともにスイッチ作動体４が引き出されて、スイッチ作動が可能となっており、外向きの変位力でレバー２が外向きに変位されることによりスイッチ作動するスイッチ装置の好適化構造をもたらしている。
【０００８】
また、縁部６を外向きに膨らんだ形状とすることにより、縁部６が開口部８内をスムーズに滑ることができる。また、レバー２が外向きに変位されることにより縁部６の先端は図２のように開口部８内の奥端に当接するため、作動片７の開き変形が防止されやすくなりその破損のおそれが小さくなる。さらにまた、作動片７の外面が当接可能な防塵を兼ねる合成樹脂製のカバー９を設けることにより、作動片７の開き変形がやはり防止されやすくなりその破損のおそれが小さくなる。
【０００９】
さらに詳述すれば、このスイッチ装置は合成樹脂製のケース１０の内部にスイッチ接点機構などを収納しており、スイッチ作動体４の進退に対応して所定のスイッチ動作態様が達成される。そして、そのスイッチ動作態様はケース１０の下端から引き出したコード１１を介して外部に送られる。また、ケース１０の側部には取付片１２を備え、そこには取付孔１３が形成されている。
【００１０】
取付片１２の上面には支点１として示した一対の突起を備え、これらはレバー２の一端に形成した一対の孔１４に各々挿入係止されている。また、ケース１０の上面端部付近には枕部１５が形成され、作動ピン３が下方位置にあるときにレバー２の中間部付近が枕部１５に当接可能となっている。なお、スイッチ作動体４はケース１０の内部にあるバネにて下方に弾性付勢されているため、作動ピン３が下方位置に復帰するときにはレバー２も元の下方位置に復帰する。また、カバー９はケース１０の上端付近において係止爪などで係止固定されている。
【図面の簡単な説明】
【００１１】
【図１】一部を断面とした正面図
【図２】同作動状態の正面図
【図３】同要部分解斜視図
【符号の説明】
【００１２】
１  支点
２  レバー
３  作動ピン
４  スイッチ作動体
５  窓孔
６  縁部
７  作動片
８  開口部
９  カバー
【図１】
2006079841.tif 000003
【図２】
2006079841.tif 000004
【図３】
2006079841.tif 000005